(57)【要約】【課題】  デジタイザなどの外部テスタを使用せずに、出力端子から出力される駆動電圧を検査可能な電圧制御装置の提供する。【解決手段】  電圧制御装置１００は、制御部１２と、出力端子ＯＵＴごとに設けられたデジタルアナログ変換回路ＤＡＣ、演算増幅器ＯＡを含む。電圧制御装置１００は、液晶パネルを接続して制御電圧により駆動する駆動モードと、各出力端子ＯＵＴから所望の出力電圧が得られているかを検査する検査モードが制御信号Ｖｃｏｎｔによって切り替えられる。制御電圧Ｖｃｏｎｔによって、スイッチＳＷ１は、駆動モードにおいては出力端子ＯＵＴｉ側にオンし、検査モードにおいては検査電圧端子１０４側にオンする。スイッチＳＷ１が検査電圧端子１０４側にオンすると、演算増幅器ＯＡは電圧比較器として動作し、検査電圧端子１０４に入力された基準電圧Ｖｒｅｆとアナログ電圧ＶＡを比較する。【選択図】  図１
2006119225.tif 000002
【特許請求の範囲】
【請求項１】
出力端子から駆動電圧を出力する電圧制御装置であって、前記出力端子ごとにアナログ電圧が入力された演算増幅器を備え、前記演算増幅器は、前記出力端子から出力される駆動電圧により制御対象の回路を駆動する駆動モードにおいては、入力された前記アナログ電圧を前記出力端子に前記駆動電圧として出力するバッファ回路として動作する一方、前記出力端子から所望の駆動電圧が出力されているかを確認する検査モードにおいては、入力された前記アナログ電圧と所定の基準電圧とを比較する電圧比較器として動作することを特徴とする電圧制御装置。
【請求項２】
デジタルアナログ変換回路を前記出力端子ごとにさらに備え、該デジタルアナログ変換回路から出力されるアナログ電圧が前記演算増幅器に入力されたことを特徴とする請求項１に記載の電圧制御装置。
【請求項３】
前記駆動モードにおいては、前記演算増幅器の反転入力端子と前記出力端子を接続し、前記検査モードにおいては、前記演算増幅器の反転入力端子と前記所定の基準電圧が印加された端子を接続するスイッチを前記演算増幅器ごとにさらに備え、
前記演算増幅器の非反転入力端子には前記アナログ電圧が印加されていることを特徴とする請求項１に記載の電圧制御装置。
【請求項４】
前記出力端子は複数であって、前記検査モードにおいて一の演算増幅器は、入力された前記アナログ電圧に代えて前記一の演算増幅器が接続された出力端子とは異なる出力端子から出力される駆動電圧と前記所定の基準電圧とを比較する電圧比較器として動作することを特徴とする請求項１に記載の電圧制御装置。
【請求項５】
演算増幅器の反転入力端子に、該演算増幅器が接続された出力端子または前記所定の基準電圧が印加された端子のいずれかを切り替えて接続する第１スイッチと、
前記演算増幅器の非反転入力端子に、前記アナログ電圧が印加された端子または前記第１スイッチを介して該演算増幅器が接続された出力端子とは異なる出力端子のいずれかを切り替えて接続する第２スイッチと、
を演算増幅器ごとにさらに備え、前記駆動モードにおいて、前記第１スイッチは前記反転入力端子に前記出力端子を接続し、前記第２スイッチは前記非反転入力端子と前記アナログ電圧が印加された端子を接続する一方、前記検査モードにおいて、前記第１スイッチは前記反転入力端子に前記所定の基準電圧が印加された端子を接続し、前記第２スイッチは前記非反転入力端子に前記演算増幅器が接続された出力端子とは異なる出力端子を接続することを特徴とする請求項４に記載の電圧制御装置。
【請求項６】
外部から前記所定の基準電圧を入力する試験電圧端子と、
前記駆動モードと前記検査モードを切り替える切り替え信号を入力する制御端子と、
をさらに備えることを特徴とする請求項１〜５のいずれかに記載の電圧制御装置。
【請求項７】
前記電圧制御装置は、表示装置駆動回路であることを特徴とする請求項１に記載の電圧制御装置。
【請求項８】
表示パネルと、
前記表示パネルの複数のデータ線または走査線に、複数の出力端子から出力される駆動電圧を印加することにより前記表示パネルの発光階調の制御を行う表示装置駆動装置と、
を備え、前記表示装置駆動は、前記出力端子ごとにアナログ電圧が入力された演算増幅器を含み、前記演算増幅器は、前記出力端子から出力される駆動電圧により前記表示パネルの発光階調の制御を行う駆動モードにおいては、入力された前記アナログ電圧を前記出力端子に前記駆動電圧として出力するバッファ回路として動作する一方、前記出力端子から所望の駆動電圧が出力されているかを確認する検査モードにおいては、入力された前記アナログ電圧と所定の基準電圧とを比較する電圧比較器として動作することを特徴とする表示装置。
【発明の詳細な説明】
【技術分野】
【０００１】
本発明は、電圧制御装置に関し、特に電圧制御装置の出力電圧の検査技術に関する。
【背景技術】
【０００２】
近年、ＣＲＴ（Ｃａｔｈｏｄｅ  Ｒａｙ  Ｔｕｂｅ）を用いた表示装置に代えて、液晶ディスプレイなどが表示装置として主流となってきている。こうした液晶ディスプレイなどの表示装置は、解像度に対応して格子状に配置された走査線とデータ線の交差点に発光素子がマトリクス状に配置された表示パネルと、複数の走査線およびデータ線に発光素子の発光階調を制御する制御電圧を印加する駆動回路を備えている。
【０００３】
データ駆動回路は、表示パネルのデータ線の本数に対応した複数の出力端子を備えており、各データ線の発光階調に応じたアナログ電圧を印加する。このデータ駆動回路には、各データ線ごとの表示フレームデータがデジタル信号として入力される。データ駆動回路は、デジタルアナログ変換回路（Ｄｉｇｉｔａｌ  Ａｎａｌｏｇ  Ｃｏｎｖｅｒｔｅｒ、以下ＤＡＣと略す）を内蔵しており、入力されたデジタル信号をアナログ電圧信号に変換し、出力バッファを介して出力端子から制御電圧を出力する。
【０００４】
表示パネルの発光素子の発光階調は、データ駆動回路の各出力端子から各信号線に出力される駆動電圧によって制御される。したがって、ＤＡＣを内蔵する駆動装置の出力電圧の精度が、表示装置に映し出される映像の品質に大きく影響する。
【０００５】
上述の表示装置の駆動装置の製造段階においては、各出力端子から所望の階調電圧が正常に出力されているかが判定され、あるいは各端子から出力される制御電圧の平均値やばらつきなど様々なデータが測定される。こうした検査はたとえば、出力端子ごとにデジタイザがアレイ状に配置された液晶ドライバー専用のテスタを用いて行われている（特許文献１）。
【０００６】
【特許文献１】特開２００３−３２２６７３号公報
【発明の開示】
【発明が解決しようとする課題】
【０００７】
ところが、上述の液晶ドライバ専用のテスタは高額であるため、駆動装置の製造コストを抑える妨げとなっていた。また、駆動装置の設計開発段階において、テスタを使用せずに出力端子から出力される駆動電圧を簡易に測定してデータ処理することができれば、設計効率を大幅に向上することが見込まれる。
【０００８】
本発明はこうした課題に鑑みてなされたものであり、その目的は、デジタイザなどの外部テスタを使用せずに、出力端子から出力される駆動電圧を検査可能な電圧制御装置の提供にある。
【課題を解決するための手段】
【０００９】
本発明のある態様は電圧制御装置に関する。この電圧制御装置は、出力端子から駆動電圧を出力する電圧制御装置であって、出力端子ごとにアナログ電圧が入力された演算増幅器を備える。演算増幅器は、出力端子から出力される駆動電圧により制御対象の回路を駆動する駆動モードにおいては、入力されたアナログ電圧を出力端子に駆動電圧として出力するバッファ回路として動作する一方、出力端子から所望の駆動電圧が出力されているかを確認する検査モードにおいては、入力されたアナログ電圧と所定の基準電圧とを比較する電圧比較器として動作する。
【００１０】
この態様によれば、出力端子ごとに設けられたバッファ回路を構成する演算増幅器を、電圧比較器としても動作させることにより、デジタイザなどの電圧計を用いなくとも、基準電圧を段階的に変化させ、各基準電圧とアナログ電圧との大小関係を判定することにより、出力端子から出力される駆動電圧を測定することができる。
【００１１】
電圧制御装置は、デジタルアナログ変換回路を出力端子ごとにさら備えていてもよく、デジタルアナログ変換回路から出力されるアナログ電圧を演算増幅器に入力してもよい。
デジタルアナログ変換回路から出力されるアナログ電圧にはさまざまな誤差が含まれるため、このアナログ電圧の値を測定することによって所望の階調レベルに対応する駆動電圧が得られるかどうかを判定することが可能となる。
【００１２】
電圧制御装置は、駆動モードにおいては演算増幅器の反転入力端子と出力端子を接続し、検査モードにおいては演算増幅器の反転入力端子と所定の基準電圧が印加された端子を接続するスイッチを演算増幅器ごとにさらに備えてもよい。演算増幅器の非反転入力端子にはアナログ電圧が印加されていてもよい。
すなわち、演算増幅器は、駆動モードにおいては非反転増幅器として機能する。検査モードにおいては、電圧帰還を行わないため、基準電圧とアナログ電圧を比較した結果、出力端子にはハイレベルまたはローレベルのいずれかが出力される電圧比較器として機能させることができる。
【００１３】
出力端子は複数であって、検査モードにおいて演算増幅器は、演算増幅器が接続された出力端子とは異なる出力端子から出力される駆動電圧と、所定の基準電圧と、を比較する電圧比較器として動作してもよい。
この場合、演算増幅器に入力されたアナログ電圧に代えて、他の出力端子から出力される駆動電圧を直接的に測定することになるため、より高精度な出力電圧の検査を行うことが可能となる。
【００１４】
演算増幅器の反転入力端子に、該演算増幅器が接続された出力端子または所定の基準電圧が印加された端子のいずれかを切り替えて接続する第１スイッチと、演算増幅器の非反転入力端子に、アナログ電圧が印加された端子または第１スイッチを介して該演算増幅器が接続された出力端子とは異なる出力端子のいずれかを切り替えて接続する第２スイッチと、を演算増幅器ごとにさらに備えてもよい。駆動モードにおいて、第１スイッチは反転入力端子に出力端子を接続し、第２スイッチは非反転入力端子とアナログ電圧が印加された端子を接続する一方、検査モードにおいて、第１スイッチは反転入力端子に所定の基準電圧が印加された端子を接続し、第２スイッチは非反転入力端子に演算増幅器が接続された出力端子とは異なる出力端子を接続してもよい。
【００１５】
演算増幅器を電圧比較器として動作させる際に、非反転入力端子に、その演算増幅器が接続された出力端子と異なる出力端子から出力される駆動電圧を印加することによって、基準電圧と駆動電圧を直接比較することができるため、高精度な検査を行うことが可能となる。
【００１６】
電圧制御装置は、外部から所定の基準電圧を入力する試験電圧端子と、駆動モードと検査モードを切り替える切り替え信号を入力する制御端子と、をさらに備えてもよい。
駆動モードと検査モードを外部から切り替え可能とし、基準電圧を外部から自由に設定できるようにすることで、電圧制御装置の開発段階や、駆動対象の回路を駆動する際の試験、実際の製品に搭載されて使用される際のエラーチェックなどさまざまな状況に対応することができる。
【００１７】
電圧制御装置は、表示装置駆動回路であってもよい。液晶ディスプレイやＥＬ（Ｅｌｅｃｔｒｏ  Ｌｕｍｉｎｅｓｃｅｎｔ）ディスプレイ等のマトリクス型表示装置を駆動する表示装置駆動回路などの出力端子数が多い電圧制御装置についても適用することができる。
【００１８】
本発明の別の態様は、上述の電圧制御装置を備えた表示装置である。
この表示装置は、表示パネルと、表示パネルの複数のデータ線または走査線に、複数の出力端子から出力される駆動電圧を印加することにより表示パネルの発光階調の制御を行う表示装置駆動装置と、を備える。表示装置駆動は、出力端子ごとにアナログ電圧が入力された演算増幅器を含む。この演算増幅器は、出力端子から出力される駆動電圧により表示パネルの発光階調の制御を行う駆動モードにおいては、入力された前記アナログ電圧を出力端子に駆動電圧として出力するバッファ回路として動作する一方、出力端子から所望の駆動電圧が出力されているかを確認する検査モードにおいては、入力されたアナログ電圧と所定の基準電圧とを比較する電圧比較器として動作する。
【００１９】
なお、以上の構成要素の任意の組合せや本発明の構成要素や表現を方法、装置、システムなどの間で相互に置換したものもまた、本発明の態様として有効である。
【発明の効果】
【００２０】
本発明に係る電圧制御装置により、デジタイザなどの外部テスタを使用せずに、出力端子から出力される制御電圧を検査可能することができる。
【発明を実施するための最良の形態】
【００２１】
（第１の実施の形態）
図１は、本発明の第１の実施の形態に係る電圧制御装置１００の構成を示す回路図である。
この電圧制御装置１００は、液晶表示パネルを駆動するための液晶ドライバであって、ｎ本のデータ線それぞれに階調制御されたアナログ電圧を出力する出力端子ＯＵＴ１〜ＯＵＴｎを備えている。
以下、それぞれの端子を区別する必要のない時は出力端子ＯＵＴと総称する。各出力端子に接続される部材についても、それぞれの符号に添えた番号によって出力端子との対応関係を示す。
【００２２】
電圧制御装置１００は、各出力端子ＯＵＴから出力される駆動電圧により接続された液晶パネルを駆動する駆動モードと、各出力端子ＯＵＴから所望の駆動電圧が得られているかを検査する検査モードが切り替えて使用される。このモードの切り替えは、制御端子１０２に外部から入力される制御電圧Ｖｃｏｎｔによって行われる。
【００２３】
電圧制御装置１００は、制御部１２と、出力端子ＯＵＴごとに設けられたデジタルアナログ変換回路ＤＡＣ、演算増幅器ＯＡを含む。
【００２４】
デジタルアナログ変換回路ＤＡＣは、入力端子ＩＮから入力されたデジタル入力信号ＶＤをアナログ電圧ＶＡに変換して出力する。たとえば、フルカラーの階調制御を行う場合には、２５６階調８ビットの制御信号が各入力端子ＩＮに入力される。デジタルアナログ変換回路ＤＡＣは、デジタル入力信号ＶＤにより指示される階調に対応したアナログ電圧ＶＡを出力する。デジタルアナログ変換回路ＤＡＣには、Ｒ−２Ｒラダー抵抗型、２重積分型、ΔΣ変調型など様々な構成のものが存在するが、いずれのデジタルアナログ変換回路であってもよく、要求される精度、面積などによって決めればよい。
【００２５】
このデジタルアナログ変換回路ＤＡＣ１〜ＤＡＣｎから出力されるアナログ電圧ＶＡ１〜ＶＡｎは、演算増幅器ＯＡ１〜ＯＡｎを介し出力端子ＯＵＴ１〜ＯＵＴｎから駆動電圧Ｖｏｕｔ１〜Ｖｏｕｔｎとして出力される。演算増幅器ＯＡ１〜ＯＡｎには、スイッチＳＷ１〜ＳＷｎが接続されており、このスイッチＳＷ１〜ＳＷｎの接続状態に応じて、駆動モード時は出力端子ＯＵＴ１〜ＯＵＴｎに接続される負荷回路に対する駆動能力を確保するためのバッファ回路として機能し、検査モード時は電圧比較器として機能する。
【００２６】
ｉ番目の演算増幅器ＯＡｉの非反転入力端子は、デジタルアナログ変換回路ＤＡＣｉと接続されており、アナログ出力電圧ＶＡｉが印加されている。反転入力端子は、スイッチＳＷｉを介して演算増幅器ＯＡｉの出力である出力端子ＯＵＴｉまたは基準電圧Ｖｒｅｆが印加される検査電圧端子１０４に接続される。
【００２７】
制御部１２は制御電圧Ｖｃｏｎｔにもとづき、各スイッチＳＷｉの切り替えを制御する。本発明の実施の形態では、制御電圧Ｖｃｏｎｔがローレベルのとき駆動モードを、ハイレベルのとき検査モードを指示するものとする。スイッチＳＷｉは、制御電圧Ｖｃｏｎｔによって駆動モードが指示されると、出力端子ＯＵＴｉ側にオンし、検査モードが指示されると検査電圧端子１０４側にオンする。
【００２８】
スイッチＳＷｉはＭＯＳＦＥＴ（Ｍｅｔａｌ  Ｏｘｉｄｅ  Ｓｅｍｉｃｏｎｄｕｃｔｏｒ  Ｆｉｅｌｄ  Ｅｆｆｅｃｔ  Ｔｒａｎｓｉｓｔｏｒ）などのトランジスタスイッチを用いることができる。スイッチＳＷｉの一端は演算増幅器ＯＡｉの反転入力端子であって、入力インピーダンスが非常に高いため、スイッチＳＷｉに電流はほとんど流れない。したがって、トランジスタスイッチのオン抵抗による電圧降下は非常に小さいため、スイッチＳＷを構成するトランジスタのサイズを小さくすることができる。
【００２９】
駆動モード時において、スイッチＳＷｉにより演算増幅器ＯＡｉの反転入力端子と出力端子ＯＵＴｉが接続されると、演算増幅器ＯＡｉは、非反転入力端子に印加された電圧、すなわちデジタルアナログ変換回路ＤＡＣｉの出力電圧ＶＡｉをそのまま出力するバッファ回路として動作することになる。このバッファ回路は、デジタルアナログ変換回路ＤＡＣの電流供給能力、すなわち負荷駆動力は一般的に低いため、これを補うために設けられている。
【００３０】
一方、検査モード時にスイッチＳＷｉにより演算増幅器ＯＡｉの反転入力端子に検査電圧端子１０４が接続されると、演算増幅器ＯＡｉは反転入力端子に印加されたデジタルアナログ変換回路ＤＡＣｉの出力電圧ＶＡｉと、非反転入力端子に印加された基準電圧Ｖｒｅｆを比較する電圧比較器として動作することになる。
【００３１】
以上のように構成された電圧制御装置１００の動作について説明する。
制御端子１０２に、制御電圧Ｖｃｏｎｔとしてローレベルが入力されると、電圧制御装置１００は、駆動モードとして動作する。このとき、演算増幅器ＯＡはバッファ回路として動作し、デジタルアナログ変換回路ＤＡＣから出力される出力電圧ＶＡをそのまま出力端子ＯＵＴから駆動電圧Ｖｏｕｔとして出力する。
【００３２】
ここで、デジタルアナログ変換回路ＤＡＣにおいて、デジタル入力信号ＶＤをアナログ電圧ＶＡに変換する際に発生するオフセット誤差や利得誤差、非直線性誤差などによって、出力電圧ＶＡｉは、入力デジタル信号によって指示された階調電圧に対して誤差電圧を含んで出力される。この誤差電圧が大きい場合、表示パネルを所望の輝度で発光させることができないため、意図した映像と異なる映像が出力されてしまうことになる。
【００３３】
以下、出力端子ＯＵＴからデジタル入力信号ＶＤによって指示された所定の階調電圧が出力されているかを検査する検査モードについて説明する。
制御端子１０２に、制御電圧Ｖｃｏｎｔとしてハイレベルが入力されると、電圧制御装置１００は、検査モードとして動作する。このとき上述のように、演算増幅器ＯＡは電圧比較器として動作し、基準電圧Ｖｒｅｆとデジタルアナログ変換回路ＤＡＣの出力であるアナログ電圧ＶＡを比較する。比較の結果、ｉ番目の演算増幅器ＯＡｉは、Ｖｒｅｆ＞ＶＡｉのときハイレベルを、Ｖｒｅｆ＜ＶＡｉのときローレベルを出力する。したがって、検査電圧端子１０４に入力する基準電圧の値を段階的に変化させながら、駆動電圧Ｖｏｕｔｉのハイレベルとローレベルの切り替わりをモニタすることによって、デジタルアナログ変換回路ＤＡＣｉの出力電圧ＶＡｉを検出することができる。すなわち、駆動電圧Ｖｏｕｔｉのハイレベル、ローレベルが切り替わったときの基準電圧値が、デジタルアナログ変換回路ＤＡＣｉの出力電圧ＶＡｉに対応することになる。
【００３４】
デジタルアナログ変換回路ＤＡＣの出力電圧ＶＡの測定は、次のように行ってもよい。図２は、検査電圧端子１０４にのこぎり波状の基準電圧Ｖｒｅｆを入力したときの出力端子ＯＵＴから出力される電圧を示す。基準電圧Ｖｒｅｆとしてのこぎり波状の電圧を与えた場合、駆動電圧Ｖｏｕｔがローレベルの期間Ｔｘによって、デジタルアナログ変換回路ＤＡＣｉの出力電圧ＶＡｉを測定することができる。
【００３５】
このような電圧制御装置１００の検査モードにおいて、デジタルアナログ変換回路ＤＡＣの出力電圧ＶＡをモニタするためには、検査電圧端子１０４に入力された基準電圧Ｖｒｅｆに対して、出力端子ＯＵＴから出力される電圧がハイレベル、ローレベルのいずれであるかを判別すればよく、出力端子にデジタイザなどのアナログデジタル変換器や、アナログ電圧計を接続する必要がないため、高価な専用テスタを用いなくとも、デジタルアナログ変換回路ＤＡＣが正常に動作しているかを判定することができる。
【００３６】
また、検査モード時において、すべてのスイッチＳＷ１〜ＳＷｎを同時に検査電圧端子１０４側に接続することによってすべての出力端子ＯＵＴ１〜ＯＵＴｎを同時に検査することができるため、検査時間を短縮することが可能となる。この効果は、出力端子の数が多いほど顕著となる。もっとも、すべての出力端子ＯＵＴを同時に測定する必要はなく、ひとつおきに検査するなど何回かに分けて測定してもよく、スイッチＳＷの制御は出力端子ごと個別に行ってもよい。出力端子が複数の場合に、どの出力端子を検査モードとして検査を行うかは制御部１２によって制御することができる。この場合、制御端子１０２を複数設けて入力される制御電圧Ｖｃｏｎｔの組み合わせによっていずれのスイッチＳＷを切り替えるかを制御すればよい。
【００３７】
このようにしてすべての出力端子ＯＵＴについて検査を行い、デジタルアナログ変換回路ＤＡＣから出力されるアナログ電圧ＶＡのばらつき、偏差、線形性などのデータを容易に統計処理し、良品、不良品の判別などを行うことができる。
【００３８】
また、この電圧制御装置１００は、通常の液晶ドライバにも内蔵されている出力バッファ回路を電圧比較器としても使用しているため、素子数の増加もスイッチＳＷを構成するトランジスタ程度である。上述のようにスイッチＳＷを構成するトランジスタのサイズも小さく設計することができるため、面積的な増加を抑えつつ、出力端子から出力される駆動電圧を検査可能な電圧制御装置の提供することができる。
【００３９】
（第２の実施の形態）
第１の実施の形態に係る電圧制御装置１００は、デジタルアナログ変換回路ＤＡＣの出力電圧ＶＡを測定可能であったのに対し、次に説明する第２の実施の形態に係る電圧制御装置は、バッファ回路を介して出力端子ＯＵＴから出力される駆動電圧Ｖｏｕｔを直接的に測定する機能を提供するものである。
【００４０】
図３は、本発明の第２の実施の形態に係る電圧制御装置２００の構成を示す回路図である。図３において、図１と同一の構成要素には同一の符号を付し、都度説明を省略する。電圧制御装置２００は、第１の実施の形態に係る電圧制御装置１００と同様に、出力端子ＯＵＴごとに、デジタルアナログ変換回路ＤＡＣ、演算増幅器ＯＡを含み、デジタルアナログ変換回路ＤＡＣは、入力端子ＩＮから入力されたデジタル入力信号ＶＤをアナログ電圧ＶＡに変換して出力する。
【００４１】
電圧制御装置２００は、各出力端子ＯＵＴｉに接続された演算増幅器ＯＡｉごとに、第１スイッチＳＷｉと、第２スイッチＳＷｉ’を備えている。
【００４２】
ｉ番目の演算増幅器ＯＡｉの反転入力端子は、第１スイッチＳＷｉを介して出力端子ＯＵＴｉまたは基準電圧Ｖｒｅｆが印加される検査電圧端子１０４のいずれかに接続される。
また、ｉ番目の演算増幅器ＯＡｉの非反転入力端子は、第２スイッチＳＷｉ’を介して、デジタルアナログ変換回路ＤＡＣｉまたは、演算増幅器ＯＡｉが接続された出力端子ＯＵＴｉとは異なる出力端子ＯＵＴｉ−１のいずれかと接続される。
【００４３】
制御部１２には、制御電圧Ｖｃｏｎｔが入力されており、この制御電圧Ｖｃｏｎｔにもとづいて第１スイッチＳＷｉ、第２スイッチＳＷｉ’をいずれの端子側にオンするかを制御している。
【００４４】
駆動モード時には、第１スイッチＳＷｉは出力端子ＯＵＴｉ側にオンし、第２スイッチＳＷｉ’はデジタルアナログ変換回路ｉ側にオンする。この結果、演算増幅器ＯＡｉは、非反転入力端子に入力されたアナログ電圧ＶＡｉをそのまま出力するバッファ回路として動作し、出力端子ＯＵＴｉからアナログ電圧ＶＡｉが出力される。
【００４５】
検査モードについては、ｉ番目の出力端子ＯＵＴｉについて検査を行う場合について説明する。この場合、ｉ番目の演算増幅器ＯＡｉではなく、ｉ＋１番目の演算増幅器ＯＡｉ＋１を電圧比較器として利用する点が、第１の実施の形態と異なっている。
このとき、ｉ番目の第１スイッチＳＷｉ、第２スイッチＳＷｉ’をいずれも駆動モード時と同じ側に接続しておき、演算増幅器ＯＡｉをバッファ回路として動作させ、出力端子ＯＵＴｉから駆動電圧Ｖｏｕｔｉ＝ＶＡｉを出力させておく。
【００４６】
一方、ｉ＋１番目の第１スイッチＳＷｉ＋１は出力端子ＯＵＴｉ側にオンし、非反転入力端子には駆動電圧Ｖｏｕｔｉが印加される。また、第２スイッチＳＷｉ＋１は、検査電圧端子１０４側にオンし、反転入力端子には基準電圧Ｖｒｅｆが印加される。
このようにしてｉ＋１番目の演算増幅器ＯＡｉ＋１はｉ番目の駆動電圧Ｖｏｕｔｉを検査するための電圧比較器として利用される。その結果、Ｖｏｕｔｉ＞Ｖｒｅｆのときハイレベルが、Ｖｏｕｔｉ＜Ｖｒｅｆのときローレベルが出力端子ＯＵＴｉ＋１から駆動電圧Ｖｏｕｔｉ＋１として出力される。
【００４７】
すなわち、本発明の実施の形態においては、各出力端子をバッファ回路として接続される演算増幅器とは別の演算増幅器と対応づけておき、それぞれの出力端子を検査する際に、対応づけられた演算増幅器を電圧比較器として利用して出力電圧が正常に得られているかを検査する。
【００４８】
演算増幅器と出力端子との対応付けはさまざまな変形例が考えられ、たとえば、図３に示すようにｉ番目の出力端子をｉ＋１番目の演算増幅器ＯＡｉ＋１と対応させてもよい。この場合、１番目の出力端子ＯＵＴｉは、ｎ番目の演算増幅器ＯＡｎと対応づけることになる。また、隣接し合う演算増幅器と出力端子間で相互に対応づけてもよい。
【００４９】
第１の実施の形態に係る電圧制御装置１００においては、駆動電圧Ｖｏｕｔではなく、デジタルアナログ変換回路の出力ＶＡを検査していたため、バッファ回路として使用される演算増幅器ＯＡにオフセット誤差などが生じる場合には、ＶＡ≠Ｖｏｕｔであるため、デジタルアナログ変換回路の出力電圧ＶＡを検査しても、出力端子ＯＵＴから所望の階調電圧が出力されるかどうかを正確に測定したことにならない場合もある。
【００５０】
第２の実施の形態に係る電圧制御装置２００においては、この点において、駆動電圧Ｖｏｕｔを基準電圧Ｖｒｅｆとを直接比較するため、バッファ回路として使用される演算増幅器ＯＡの誤差も含めて検査することになり、バッファ回路の特性も含めたより精度の高い検査が可能となる。
【００５１】
この電圧制御装置２００においては、すべての出力端子ＯＵＴについて同時に検査を行うことはできず、偶数番目の出力端子ＯＵＴについて検査を行う場合には奇数番目の演算増幅器は電圧比較器として使用されるため、２回以上に分けて検査を行うことになる。
電圧制御装置２００についても、検査電圧端子１０４に入力する基準電圧Ｖｒｅｆおよび検査の結果出力される電圧の判定は第１の実施の形態と同様に行えばよい。
【００５２】
上記実施の形態は例示であり、それらの各構成要素や各処理プロセスの組合せにいろいろな変形例が可能なこと、またそうした変形例も本発明の範囲にあることは当業者に理解されるところである。
【００５３】
第１、第２の実施の形態においては、デジタルアナログ変換回路の出力電圧をバッファ回路を介して駆動電圧として出力する電圧制御装置について説明したが、バッファ回路を構成する演算増幅器には、デジタルアナログ変換回路の出力電圧ではなく、その他のアナログ電圧が印加されていてもよい。すなわち、本発明の技術は、演算増幅器で構成されたバッファ回路を備える電圧制御装置に広く適用することができる。
【００５４】
実施の形態において、電圧制御装置１００または２００を構成する素子はすべて一体集積化されていてもよく、または別の集積回路に分けて構成されていてもよい。また、その一部がディスクリート部品で構成されていてもよい。どの部分を集積化するかは、コストや占有面積などによって決めればよい。
【図面の簡単な説明】
【００５５】
【図１】第１の実施の形態に係る電圧制御装置の構成を示す回路図である。
【図２】検査電圧端子にのこぎり波状の基準電圧を入力したときの出力端子から出力される電圧を示す図である。
【図３】第２の実施の形態に係る電圧制御装置の構成を示す回路図である。
【符号の説明】
【００５６】
ＳＷ  スイッチ、  ＳＷ’  第２スイッチ、  １２  制御部、  １００  電圧制御装置、  １０２  制御端子、  １０４  検査電圧端子、  ＤＡＣ  デジタルアナログ変換回路、  ＯＡ  演算増幅器、  ＩＮ  入力端子、  ＯＵＴ  出力端子、  ２００  電圧制御装置、  ＶＤ  入力デジタル信号、  ＶＡ  アナログ電圧、  Ｖｏｕｔ  駆動電圧。
【図１】
2006119225.tif 000003
【図２】
2006119225.tif 000004
【図３】
2006119225.tif 000005